(57)【要約】【課題】パネルを剥がさずとも容易に最外殻壁を再生できる自立式駐車場構造を提供する。【解決手段】建屋２の外周に沿って所定の間隔を隔てて起立して設けられた縦胴縁１０の外側に最外殻壁３としてのパネル７を張設してなる自立式駐車場構造において、最外殻壁としてパネル７の外側に、縦胴縁１０に直交させてパネル７の水平方向に延出された横胴縁１７を設けると共に横胴縁１７を縦胴縁１０に締結部材２１を介して取り付け、横胴縁１７の外側に高さ方向に所定の長さ延出される鋼板２２を並設し、パネル７の外側を被うように構成して最外殻壁３を再生するものである。【選択図】図１
2009121200.tif 000002
【特許請求の範囲】
【請求項１】
建屋の外周に沿って所定の間隔を隔てて起立して設けられた縦胴縁の外側に最外殻壁としてのパネルを張設してなる自立式駐車場構造において、上記最外殻壁としてパネルの外側に、上記縦胴縁に直交させて上記パネルの水平方向に延出された横胴縁を設けると共にこの横胴縁を上記縦胴縁に締結部材を介して取り付け、該横胴縁の外側に高さ方向に所定の長さ延出される鋼板を並設し、上記パネルの外側を被うように構成して最外殻壁を再生したことを特徴とする自立式駐車場構造。
【請求項２】
上記鋼板は、上記横胴縁の長手方向に沿って凹凸した波状を有する波状鋼板からなる請求項１記載の自立式駐車場構造。
【請求項３】
上記横胴縁は、断面コ字状の本体部と、該本体部の上側の端部から上方に延びて形成され上記締結部材にて上記縦胴縁に取り付けられる上側取付部と、上記本体部の下側の端部から下方に延びて形成され上記締結部材にて上記縦胴縁に取り付けられる下側取付部とを備え、上記鋼板が上記本体部にねじ止めされるようにした請求項２記載の自立式駐車場構造。
【請求項４】
上記パネルがスレートサンドイッチパネルからなる請求項１〜３のいずれかに記載の自立式駐車場構造。
【発明の詳細な説明】
【技術分野】
【０００１】
本発明は、最外殻壁がパネルで構成された自立式駐車場に係り特に最外殻壁を再生する自立式駐車場構造に関する。
【背景技術】
【０００２】
自立式駐車場としては図６、図７及び図８記載のものが知られている。
【０００３】
図６、図７及び図８に示すように、この自立式駐車場４０は、塔状に形成された建屋２内に車両を収容する駐車装置（図示せず）を設けてなるものである。
【０００４】
建屋２の外壁材としては、耐火性に優れたスレートサンドイッチパネル等のパネル７が広く採用されている。パネル７は、２枚の石綿スレート板４１間に防火構造の木毛板４２を挟んだ構造となっており、上下左右に複数並べて配設することで壁面を形成するようになっている。また、上下左右のパネル７間には、止水のためにコーキングが施される。
【０００５】
【特許文献１】特開昭６１−１３０５４８号公報
【発明の開示】
【発明が解決しようとする課題】
【０００６】
ところで、既設の自立式駐車場にあっては、ポリサルファイド系のコーキング材１６が広く用いられている。このコーキング材１６は、築１０年程度で硬化、劣化して縮み、パネル７に対する付着が少なくなる。コーキング材１６がパネル７から剥離すると、その隙間から雨水が浸入してパネル７の取付金具たるハット型ジョイナー１２が錆びると共に、パネル７の端面からパネル７内に浸水し、パネル７がひび割れる虞があるという課題があった。
【０００７】
また、取付金具やパネル７を交換する工事は、大がかりであり、建屋２の内装等に耐火被覆を使用している場合、パネル７の除去に環境対策が必要となるという課題もあった。
【０００８】
そこで、本願発明の目的は、上記課題を解決し、パネルを剥がさずとも容易に最外殻壁を再生できる自立式駐車場構造を提供することにある。
【課題を解決するための手段】
【０００９】
上記課題を解決するために本発明は、建屋の外周に沿って所定の間隔を隔てて起立して設けられた縦胴縁の外側に最外殻壁としてのパネルを張設してなる自立式駐車場構造において、上記最外殻壁としてパネルの外側に、上記縦胴縁に直交させて上記パネルの水平方向に延出された横胴縁を設けると共にこの横胴縁を上記縦胴縁に締結部材を介して取り付け、該横胴縁の外側に高さ方向に所定の長さ延出される鋼板を並設し、上記パネルの外側を被うように構成して最外殻壁を再生するものである。
【００１０】
上記鋼板は、上記横胴縁の長手方向に沿って凹凸した波状を有する波状鋼板からなるとよい。
【００１１】
また、上記横胴縁は、断面コ字状の本体部と、該本体部の上側の端部から上方に延びて形成され上記締結部材にて上記縦胴縁に取り付けられる上側取付部と、上記本体部の下側の端部から下方に延びて形成され上記締結部材にて上記縦胴縁に取り付けられる下側取付部とを備え、上記鋼板が上記本体部にねじ止めされるようにするとよい。
【００１２】
上記パネルは、例えばスレートサンドイッチパネルからなる。
【発明の効果】
【００１３】
本発明によれば、パネルを剥がさずとも容易に最外殻壁を再生できる。
【発明を実施するための最良の形態】
【００１４】
本発明の好適実施の形態を添付図面を用いて説明する。
【００１５】
図５に示すように、自立式駐車場（タワーパーキング）１は、塔状に形成された建屋２を有する。建屋２の既設の最外殻壁３は、パネル７からなり、最外殻壁３にはガラリー４が１つ設けられている。建屋２の屋根５には、ハッチ６が設けられている。
【００１６】
図１に示すように、建屋２は、四隅に設けられた柱８と、柱８間に設けられた複数の梁（図示せず）と、梁間に設けられた斜材（図示せず）とからなる鉄骨製の骨組み９を有する。パネル７は、建屋２の骨組みの外周に沿って所定の間隔を隔てて起立して設けられた縦胴縁１０の外側に張設されている。
【００１７】
具体的には、図２及び図３に示すように、縦胴縁１０は、それぞれリップ溝型鋼からなり、開口１１を内側に向けて配置されると共に、開口１１側の側面を、上記梁にそれぞれ取り付けられている。
【００１８】
図２、図３及び図４に示すように、パネル７は、メッキ鋼板をハット型に屈曲形成してなるハット型ジョイナー１２を介して縦胴縁１０に締結される。ハット型ジョイナー１２は、コ字状に形成される中央部１３を上下又は左右に隣接するパネル７間に介在させるようになっている。中央部１３は、パネル７間に目地形成用の溝１４を形成するようにその突出長さをパネル７の厚さより短く形成されている。パネル７間に形成される溝１４内には、バックアップ材１５が設けられると共にコーキング材１６が充填される。
【００１９】
パネル７の外側には、水平方向に延びる横胴縁１７がパネル７の外面に沿って設けられる。横胴縁１７は、鋼板をハット型に屈曲形成してなり、断面コ字状の本体部１８と、本体部１８の上側の端部から上方に延びて形成される上側取付部１９と、本体部１８の下側の端部から下方に延びて形成される下側取付部２０とを備える。上側取付部１９と下側取付部２０は、パネル７の外面に当接され、パネル７を貫通する締結部材たる横胴縁用ネジ２１にて縦胴縁１０に取り付けられるようになっている。横胴縁用ネジ２１には、平先、丸先又はとがり先等の先細に形成されたねじが用いられ、縦胴縁１０に予め形成された孔（図示せず）に直接螺合される。これにより、建屋２の内側から横胴縁用ネジ２１にナットを締め付ける必要がなくなり、取り付け作業を容易にできる。本体部１８は、上側取付部１９と下側取付部２０が横胴縁用ネジ２１を介して縦胴縁１０に取り付けられたとき、横胴縁用ネジ２１の頭より外方に突出するように形成されている。
【００２０】
また、横胴縁１７には、鋼板２２が並設され、鋼板２２でパネル７の外側を被うように構成される。鋼板２２は、防食性に優れる特殊塗装を施された鋼板を波状に屈曲形成してなる波状鋼板からなる。鋼板２２は、高さ方向に所定の長さを有し幅方向に所定の長さを有する長方形状に形成されている。また特に、鋼板２２は、横胴縁１７の長手方向（水平方向）に沿って凹凸するように横胴縁１７に取り付けられており、波の凹部２３と凸部２４がそれぞれ鉛直に延びるようにされる。これにより、凹凸に埃が溜まり難くなり、凹凸に沿って雨水が流れ易くなる。また、鋼板２２は、凹部２３の底面２５を横胴縁１７の本体部１８にねじ止めされることで横胴縁１７に取り付けられる。鋼板２２は、矩形波状に形成されており、凸部２４の頂面２６と凹部２３の底面２５が平坦に形成されている。これにより鋼板２２は、凹部２３の底面２５を横胴縁１７の本体部１８に面同士で接触させて本体部１８に安定して着座されるようになっている。
【００２１】
次に本実施の形態の作用を述べる。
【００２２】
既設の自立式駐車場１の最外殻壁３を再生する場合、まず、パネル７の外側に横胴縁１７を上下に所定間隔を隔てて複数水平に設ける。このとき、横胴縁１７の間隔は、少なくとも鋼板２２の高さ方向の長さよりも短くし、それぞれの鋼板２２を上下に離間する複数の横胴縁１７で支持するようにする。また、横胴縁１７は、縦胴縁１０に横胴縁用ネジ２１を介して取り付ける。このとき、パネル７には、横胴縁用ネジ２１を挿通するための挿通孔（図示せず）を予め形成しておくと共に、縦胴縁１０に横胴縁用ネジ２１を螺入させるための下孔（図示せず）を予め形成しておき、建屋２の外側から挿通孔に横胴縁用ネジ２１を挿入したのち、下孔に横胴縁用ネジ２１を捻りながら挿入することで下孔に雌ネジを形成し、縦胴縁１０に横胴縁用ネジ２１を螺合させる。建屋２の内側で作業を行う必要がないため、建屋２内の駐車装置（図示せず）等に対する安全管理を行う必要がなく、横胴縁１７を短時間で簡単に取り付けることができる。
【００２３】
この後、それぞれの横胴縁１７に鋼板２２を取り付ける。このとき、鋼板２２の波形状が水平方向に沿って起伏するように姿勢を決めて横胴縁１７の本体部１８に複数の凹部２３の底面２５を着座させ、凹部２３の底面２５と横胴縁１７の本体部１８とをねじ止めする。ねじ止めは、凹部２３の底面２５と横胴縁１７の本体部１８とを重ね合わせた状態でこれらに下孔（図示せず）を形成し、これら下孔に鋼板用ネジ２７をねじ込むことで容易に行うことができる。
【００２４】
このように、パネル７の外側に、縦胴縁１０に直交させてパネル７の水平方向に延出された横胴縁１７を設けると共にこの横胴縁１７を縦胴縁１０に横胴縁用ネジ２１を介して取り付け、横胴縁１７の外側に高さ方向に所定の長さ延出される鋼板２２を並設し、パネル７の外側を被うように構成して最外殻壁３を再生するため、パネル７を剥がさずとも簡易な構造で容易に最外殻壁３を再生できる。また、最外殻壁３を鋼板２２とした場合の外壁の寿命は約２５年であり、大幅に耐用年数を長くすることができる。またさらに、外観の見栄えも良くすることができる。
【００２５】
鋼板２２は、横胴縁１７の長手方向に沿って凹凸した波状を有する波状鋼板からなるものとしたため、薄い鋼板で十分な強度を得られると共に、最外殻壁３を軽いものにでき、凹凸に埃が溜まるのを防げると共に、雨水を流れやすくできる。
【００２６】
横胴縁１７は、断面コ字状の本体部１８と、本体部１８の上側の端部から上方に延びて形成され横胴縁用ネジ２１にて縦胴縁１０に取り付けられる上側取付部１９と、本体部１８の下側の端部から下方に延びて形成され横胴縁用ネジ２１にて縦胴縁１０に取り付けられる下側取付部２０とを備え、鋼板２２が本体部１８にねじ止めされるようにしたため、横胴縁用ネジ２１の頭が鋼板２２に干渉するのを防ぐことができると共に、鋼板２２が取り付けられる本体部１８の取付面２８を孔等がない平滑な面に形成でき、横胴縁用ネジ２１の位置と鋼板用ネジ２７の位置とが重なった場合であっても、鋼板２２を支障なく取り付けることができ、鋼板２２の波の間隔を自由に設定することができる。
【００２７】
なお、鋼板２２は、長方形に形成されるものとしたが、これに限るものではない。パネル７の外側を効率よく被うことができれば他の矩形状であってもよく、他の形状であってもよい。
【００２８】
また、横胴縁用ネジ２１は、縦胴縁１０に直接螺合されるものとしたが、これに限るものではない。横胴縁用ネジ２１は縦胴縁１０に挿通されるものとしてもよい。この場合、横胴縁用ネジ２１にナット（図示せず）を螺合させ、横胴縁用ネジ２１とナットとで横胴縁１７、パネル７及び縦胴縁１０を締結するとよい。
【図面の簡単な説明】
【００２９】
【図１】本発明の好適実施の形態を示す自立式駐車場の上部側断面図である。
【図２】図１の要部拡大図である。
【図３】図１の要部拡大平面断面図である。
【図４】図１の要部拡大斜視断面図である。
【図５】自立式駐車場の概略全体図である。
【図６】従来の自立式駐車場の上部側断面図である。
【図７】図６の要部拡大図である。
【図８】図６の要部拡大平面断面図である。
【符号の説明】
【００３０】
１  自立式駐車場
２  建屋
３  最外殻壁
７  パネル
１０  縦胴縁
１７  横胴縁
１８  本体部
１９  上側取付部
２０  下側取付部
２１  横胴縁用ネジ（締結部材）
２２  鋼板
【図１】
2009121200.tif 000003
【図２】
2009121200.tif 000004
【図３】
2009121200.tif 000005
【図４】
2009121200.tif 000006
【図５】
2009121200.tif 000007
【図６】
2009121200.tif 000008
【図７】
2009121200.tif 000009
【図８】
2009121200.tif 000010